(57)【要約】【課題】  本発明は疑似餌に関し、特に多様な発光によって魚をおびき寄せるための発光ユニットを収納し、水中に本体を投入すると発光し、水中から引き上げた際には発光を停止する疑似餌に関するものである。【解決手段】    釣り用ルアー本体と、該本体内に内蔵されるＬＥＤユニットからなる疑似餌において単色あるいは複数色の透光性着色を施された本体と、単数あるいは複数の発光色を有するＬＥＤユニットからなり、本体の単数色あるいは複数色と、ＬＥＤユニットの単数色あるいは複数色との選択的な組合せにより、外観より視認できる発光色の種類を多様に構成したことを特徴とし、ＬＥＤユニットは、バッテリーとＬＥＤまたはチップ型ＬＥＤを収納する水密または密閉構造となっており、水中への投入時には疑似餌本体が内蔵されるセンサーにより自動的にＯＮとなり、水中から引き揚げた際には自動的にＯＦＦとなる機能を備えたことを特徴とする疑似餌を提供する。【選択図】図１
2016116499.tif 000002
【特許請求の範囲】
【請求項１】
釣り用ルアー本体と、該本体内に内蔵される透過性のあるＬＥＤユニットからなる疑似餌において、単色あるいは複数色の透光性着色を施された本体と、単数あるいは複数の発光色を有するＬＥＤユニットからなり、本体の単数色あるいは複数色と、ＬＥＤユニットの単数色あるいは複数色との選択的な組合せにより、外観より視認できる発光色の種類を多様に構成したことを特徴とする疑似餌。
【請求項２】
中心部を魚眼に模した黒い円とした透明または透光性のあるアクリルまたは蛍光アクリルからなる魚眼部の基部に本体内のＬＥＤ先端部が当接され、ＬＥＤユニット内に収納されたＬＥＤまたはチップ型ＬＥＤの発光により、魚眼部およびその周辺からより多様な発光を放射するように構成したことを特徴とする特許請求項１記載の疑似餌。
【請求項３】
中心部が魚眼を模した黒い円とした透明または透光性のあるアクリルまたは蛍光アクリルからなる魚眼部の基部に本体内のＬＥＤに先端部が当接され、他端を本体尾部周辺まで延長した導光板がＬＥＤユニット内に収納されたＬＥＤまたはチップ型ＬＥＤの発光により、先端部および導光板の長手方向に光が乱反射し、水中に拡散するように構成したことを特徴とする特許請求項１記載の疑似餌。
【請求項４】
ＬＥＤユニットは、バッテリーとＬＥＤまたはチップ型ＬＥＤとを収納され、ＬＥＤユニット単体で水密または密閉構造となっており、センサーにより自動的に、ＯＮ／ＯＦＦされるスイッチを備えたことを特徴とする特許請求項１記載の疑似餌。
【発明の詳細な説明】
【技術分野】
【０００１】  本発明は疑似餌に関し、特に多様な発光によって魚をおびき寄せるためのＬＥＤユニットを収納し、該ＬＥＤユニットの発光のオンオフはセンサーによって自動的に行う疑似餌に関するものである。
【背景技術】
【０００２】  従来、種々の発光ルアーが開発されて特許出願されている。
【先行技術文献】
【特許文献】
【０００３】
【特許文献１】  特開２０００−１８９００４号公報
【特許文献２】  特開２００７−２８２８４３号公報
【特許文献３】  特開２００１−３７３７５号公報
【０００４】  前記せる特開２０００−１８９００４号は、ルアー自体を交換しないで、赤色，橙色、及び黄色等の異なった発光色を持った発光体をソケットに取りつけ、そのソケットホルダーをルアー本体に螺合するようになっている。
したがって、外部へ放射される発光色の種類は前記せる発光体の発光色に限定されるものであって、発光色の種類はバリエーションが少ないという問題があった。【０００５】  特開２００７−２８２８４３号は、外装表面にアルミ蒸着を施し、着色されたフィルムの貼り換えによって色の変化可能とされているが、一度海水に濡れた状態や使用時に沿岸のテトラポットや水中の岩石等にぶつかったり、イカ、魚類にかじられて本体一部が欠損したり、変形した場合に粘着フィルムを貼りかえるのは非常に手間がかかり技術が必要であった。【０００６】  また、発光ユニット自体および回路には防水機能がないため、ソケットホルダーに切られたネジのピッチを細かく、かつ長く確保することで防水性を高める必要があり、容易に交換できるとはいうものの脱着には非常に手間の掛かるものである。【０００７】  また、海水に濡れた状態で疑似餌から脱着すると内部に少量の海水が入り込み、端子類の腐食を助長する。このため、釣場で回路付の発光ユニットを交換することは容易でなくこのような構造から発光部が後方に位置し、従来、イカ等が狙いを定める疑似餌頭部に光が回らないという致命的な問題がある。【０００８】    前記せる特開平２００１−３７３７５号では、内部に分断し収納された二種以上の物質が外力により混合ないし互いに接触して化学ルミネセンスを生じるようにしたカプセルを透明プラスチックよりなる擬似状成形物の内部に着脱自在に収納したものである。発光体に化学反応を利用しているため「光量」および「発色数」に制約が生じ、混ざり具合によっては発光面にムラが生じ、光源としての安定性に欠けるものである。
【発明の概要】
【発明が解決しようとする課題】
【０００９】  前記せる文献はいずれもそれぞれの問題点があり、しかも発光色のバリエーションが少ないという問題があったので、発光色のバリエーションを極めて多くし、その海況に応じた集魚効果を上げる疑似餌を提供することが本発明の課題である。
【課題を解決するための手段】
【００１０】  釣り用ルアーである本体と、該本体内に収納されるＬＥＤユニットからなる疑似餌において、単色あるいは複数色の透光性着色を施された本体と、単数あるいは複数の発光色を有するＬＥＤユニットからなり、本体の単数色あるいは複数色と、ＬＥＤユニットの単数色あるいは複数色との選択的な組合せにより、外観より視認できる発光色の種類を多様に構成したことを特徴とし、中心部が魚眼を模した黒い円にした透明アクリルからなる魚眼部の基部に本体内のＬＥＤ先端部が当接され、ＬＥＤユニット内に収納されたＬＥＤまたはチップ型ＬＥＤの発光により、魚眼部を中心として、多様な発光を放射するように構成したことを特徴とし、本体内のＬＥＤに先端部を当接され、他端を本体尾部付近まで延長した導光板がＬＥＤユニット内に収納されたＬＥＤまたはチップ型ＬＥＤの発光により、先端部または導光板の長手方向に光が乱反射し、水中に拡散するように構成したことを特徴とすると共に、単体で水密または密閉構造となっているため海水に濡れた状態でもメンテナンスが不要である。ＬＥＤユニットはセンサーにより自動的に、ＯＮ／ＯＦＦされるスイッチを備えたことを特徴とする疑似餌を提供する。
【発明の効果】
【００１１】  本発明の疑似餌は、単数又は複数色の透光性着色を施された本体と単数または複数の発光色を有する複数のＬＥＤユニットからなり、本体の複数色とＬＥＤユニットの複数色との選択的な組合せにより、外観より視認できる発光色の種類が極めてバリエーションに富んだ多様な構成であるので、海況等に応じて釣り人が予め分かっている高釣果を得られる発光色を選ぶことができるばかりでなく、魚種や天候等に応じた発光色の探求を実験して楽しむことができる効果がある。
【図面の簡単な説明】
【００１２】
【図１】  本発明に係る疑似餌の全体平面図である。
【図２】  本発明に係る疑似餌の全体側面図である。
【図３】  図１の部分断面図である。
【図４】  図２の部分断面図である。
【発明を実施するための形態】
【００１３】  以下、図面に基づき、本発明の疑似餌について具体的に説明する。
図面に於いて図１は本発明に係る疑似餌の全体平面図である。図２は本発明に係る疑似餌の全体側面図である。図３は図１の部分断面図である。図４は図２の部分断面図である。
【００１４】  本発明の疑似餌は、図１に示すように釣り具用ルアー本体１と釣り具用ルアー本体１内に内蔵されるＬＥＤユニット４からなり、釣り具用ルアー本体１は複数色の透光性着色が施されている。
【００１５】  釣り具用ルアー１に描かれた魚眼３の部分も透明性着色が施されており、魚眼３からも発光が放射される構造になっている。
【００１６】  また、釣り具用ルアー本体１の先端部は釣り糸係止リング用ホール２が形成されており尾部等には釣り針用ホール５が形成されている。
【００１７】  ＬＥＤユニット４は複数の発光色を有する通常ＬＥＤまたはチップ型ＬＥＤをそれぞれＬＥＤユニット４内に収納している。
【００１８】  したがって、ＬＥＤユニット４を覆うアクリル加工している着色された透過性のある樹脂部１１とＬＥＤユニット４の複数色との選択的な組合せにより外観より視認できる発光色の種類を多様に構成することができる。
【００１９】  透過性のあるアクリルからなり、本体内のＬＥＤに先端部を当接され、他端を本体尾部まで延長された導光板１２がＬＥＤユニット内に収納されたＬＥＤまたはチップ型ＬＥＤの発光を導光し、先端部または導光板１２の長手方向に光が乱反射し、水中に拡散するように構成されている。
【００２０】  ＬＥＤユニット４はバッテリーリチウム電池７を収納し、水密または密閉構造となっている。
【００２１】  リチウム電池の負極端子９と正極端子１０はセンサー６により自動的に、ＯＮ／ＯＦＦされる。
【００２２】  ＬＥＤ８またはチップ型ＬＥＤは継続的な点滅あるいは点灯ができるものであるので、引用文献のような特別な回路基板をＬＥＤユニット４内に設ける必要がなく極めて簡単な構造であるので壊れにくい特徴がある。
【００２３】  本疑似餌は実施例図面でルアー用の疑似餌を記載しているが、本体の外観を任意に変更すればマルイカやアオリイカ、ヤリイカ、アカイカ、タチウオやタコ他の魚類用の疑似餌に応用できるものであって、トローリングを含むこれらの設計変更は本発明の技術範囲に属するものである。
【産業上の利用可能性】
【００２４】    本発明の疑似餌は、外観より視認できる発光色の種類が極めてバリエーションに富んだ多様な構成であるので、海況等の自然環境の変化に対応して釣り人が発光色を選ぶことができるばかりでなく、魚類に応じた発光色の効果を実験によってユーザーが自在に探求するような方法で楽しむこともできる効果があるので、漁具としてだけではなく、釣りを趣味とする多くの人々に利用されるという産業上の利用可能性も高いものである。
【符号の説明】
【００２５】  １  釣り具用ルアー本体
２  釣り糸係止リング用ホール
３  魚眼
４  ＬＥＤユニット
５  釣り針用ホール
６  センサー
７  リチウム電池
８  ＬＥＤ
９  負極端子
１０  正極端子
１１  樹脂部
１２  導光板
【図１】
2016116499.tif 000003
【図２】
2016116499.tif 000004
【図３】
2016116499.tif 000005
【図４】
2016116499.tif 000006